(57)【要約】【課題】本体の移設作業等の作業性を向上させ、当該作業にかかる人手や時間が抑えられる自動取引処理装置を提供する。【解決手段】ＡＴＭ１は、金融機関に開設されている口座に対する取引を処理する毎に、その取引の内容を示すジャーナルデータを作成する。そして、このジャーナルデータを記憶部１８に記憶する。ＡＴＭ１は、ネットワークを介して通信可能に接続された管理サーバ２に対して、ジャーナルデータの収集を要求し、この要求に対する管理サーバ２からの応答に応じて、ジャーナルデータを送信する。すなわち、ＡＴＭ１側の操作で、このＡＴＭ１が記憶しているジャーナルデータを管理サーバ２に収集させることができる。【選択図】図１
2010250590.tif 000002
【特許請求の範囲】
【請求項１】
入力された取引情報に応じて、金融機関に開設されている口座に対する取引を処理する取引処理手段と、
前記取引処理手段が取引を処理する毎に、処理した取引の内容を示すジャーナルデータを作成するジャーナルデータ作成手段と、
ジャーナルデータ作成手段が作成したジャーナルデータを記憶するジャーナルデータ記憶手段と、
ネットワークを介して通信可能に接続された管理サーバに対して、前記ジャーナルデータ記憶手段が記憶しているジャーナルデータの収集を要求する要求手段と、
前記要求手段の要求に対する前記管理サーバからの応答に応じて、前記ジャーナルデータ記憶手段が記憶しているジャーナルデータを送信するジャーナルデータ送信手段と、を備えた自動取引処理装置。
【請求項２】
前記ジャーナルデータ作成手段が作成するジャーナルデータに含まれる各項目のコードについて、ジャーナルデータにおける位置を定めた位置データを記憶する位置データ記憶手段を備えた請求項１に記載の自動取引処理装置。
【請求項３】
前記位置データ記憶手段が記憶する位置データを更新する位置データ更新手段を備えた請求項２に記載の自動取引処理装置。
【請求項４】
前記ジャーナルデータ作成手段が作成するジャーナルデータに含まれる項目毎に、その項目の内容に対して優先順位を定めた優先順位データを記憶する優先順位データ記憶手段を備えた請求項２、または３に記載の自動取引処理装置。
【請求項５】
前記優先順位データ記憶手段が記憶する優先順位データを更新する優先順位データ更新手段を備えた請求項４に記載の自動取引処理装置。
【請求項６】
前記ジャーナルデータ送信手段は、前記ジャーナルデータ記憶手段が記憶しているジャーナルデータと、前記位置データ記憶手段が記憶している位置データとを前記管理サーバに送信する手段である、請求項２〜５のいずれかに記載の自動取引処理装置。
【請求項７】
登録されている外字にかかる外字データを記憶する外字データ記憶手段を備え、
前記ジャーナルデータ送信手段は、前記外字データ記憶手段が記憶している外字データも前記管理サーバに送信する手段である、請求項１〜６のいずれかに記載の自動取引処理装置。
【請求項８】
複数の自動取引処理装置が、ネットワークを介して管理サーバに通信可能に接続された取引管理システムにおいて、
前記自動取引処理装置は、
入力された取引情報に応じて、金融機関に開設されている口座に対する取引を処理する取引処理手段と、
前記取引処理手段が取引を処理する毎に、処理した取引の内容を示すジャーナルデータを作成するジャーナルデータ作成手段と、
ジャーナルデータ作成手段が作成したジャーナルデータを記憶するジャーナルデータ記憶手段と、
前記管理サーバに対して、前記ジャーナルデータ記憶手段が記憶しているジャーナルデータの収集を要求する要求手段と、
前記要求手段の要求に対する前記管理サーバからの応答に応じて、前記ジャーナルデータ記憶手段が記憶しているジャーナルデータを送信するジャーナルデータ送信手段と、
を備えている、
取引管理システム。
【発明の詳細な説明】
【技術分野】
【０００１】
この発明は、金融機関の店舗や、コンビニエンスストア等に設置され、金融機関に開設されている口座に対して入金取引や、出金取引等の各種取引を処理する自動取引処理装置、および、この自動取引処理装置で処理された取引を管理する取引管理システムに関する。
【背景技術】
【０００２】
従来、金融機関の店舗や、コンビニエンスストア等には、現金自動預け払い機（所謂、ＡＴＭ）が設置されている。ＡＴＭは、周知のように、利用者の入力操作に応じて、金融機関に開設されている口座に対する入金取引や、出金取引等の各種取引を処理する装置である。ＡＴＭは、取引を処理する毎に、その取引の内容を示すジャーナルデータを作成し、これを記憶する。また、ＡＴＭは、センタに設置されている管理サーバからの要求に応じて、記憶しているジャーナルデータを送信する。管理サーバは、各ＡＴＭからジャーナルデータを収集し一括管理する。
【０００３】
また、管理サーバが各ＡＴＭから収集し管理しているジャーナルデータの検索に要する時間を短縮するために、各ジャーナルデータの概略情報を登録した概略情報ファイルを作成し、これを検索時に利用する提案もなされている（特許文献１参照）。
【先行技術文献】
【特許文献】
【０００４】
【特許文献１】特開平７−２７１８７７号公報
【発明の概要】
【発明が解決しようとする課題】
【０００５】
しかしながら、ＡＴＭは、センタに設置されている管理サーバからの要求に応じて、記憶しているジャーナルデータを送信する構成であり、記憶しているジャーナルデータを必要に応じて管理サーバに送信することができなかった。このため、ＡＴＭを移設する場合には、ＡＴＭを移設する現場作業員と、移設するＡＴＭからジャーナルデータを収集する操作を行う管理サーバ側の係員と、が連携して移設作業を行わなければならなかった。
【０００６】
具体的には、ＡＴＭの移設作業は、以下に示す（１）〜（８）の手順で行われていた。
（１）現場作業員が移設するＡＴＭが設置されている場所（移設元）に赴く。
（２）係員は、センタで待機し、移設元に到着した現場作業員からの連絡を待つ。
（３）現場作業員は、移設元に到着すると、センタで待機している係員に電話等で連絡し、移設するＡＴＭからのジャーナルデータの収集を要求する。
（４）係員は、管理サーバに対して移設するＡＴＭからのジャーナルデータの収集にかかる操作を行う。
（５）現場作業員は、管理サーバにおけるジャーナルデータの収集が完了すると、移設するＡＴＭを移設元から移設先に運搬し、このＡＴＭを移設先に設置する。
（６）現場作業員は、ＡＴＭを移設先に設置すると、再度センタで待機している係員に電話等で連絡し、移設したＡＴＭからのジャーナルデータのテスト収集を要求する。
（７）係員は、管理サーバに対して移設したＡＴＭからのジャーナルデータのテスト収集にかかる操作を行う。
（８）係員、および現場作業員は、管理サーバにおけるジャーナルデータのテスト収集が適正に行えたことを確認し、このＡＴＭの移設作業を完了する。
【０００７】
このように、ＡＴＭの移設作業が、人手や時間がかかり、効率的に行えていないという問題があった。
【０００８】
なお、ＡＴＭの移設作業だけでなく、ＡＴＭにおける障害の発生等によって、この障害が発生したＡＴＭからジャーナルデータを収集する場合も同様に、障害の復旧を行う現場作業員と、管理サーバ側の係員と、が連携しなければならず、作業性がよくないという問題がある。
【０００９】
この発明の目的は、本体の移設作業等の作業性を向上させ、当該作業にかかる人手や時間が抑えられる自動取引処理装置、および取引管理システムを提供することにある。
【課題を解決するための手段】
【００１０】
この発明の自動取引処理装置は、上記目的を達するために、以下のように構成している。
【００１１】
この自動取引処理装置は、取引処理手段が金融機関に開設されている口座に対する取引を処理する毎に、ジャーナルデータ作成手段が処理した取引の内容を示すジャーナルデータを作成する。そして、このジャーナルデータを、ジャーナルデータ記憶手段に記憶する。また、自動取引処理装置は、ネットワークを介して通信可能に接続された管理サーバに対して、ジャーナルデータ記憶手段が記憶しているジャーナルデータの収集を要求することができる。そして、この要求に対する管理サーバからの応答に応じて、ジャーナルデータ送信手段が記憶しているジャーナルデータを送信する。
【００１２】
したがって、本体の移設作業等においては、現場の作業員だけで（自動取引処理装置に対する操作だけで）、移設する本体が記憶しているジャーナルデータを管理サーバに収集させることができる。すなわち、管理サーバ側の係員が不要になり、これにともない、現場作業員と管理サーバ側の係員との連携も必要なくなる。このため、本体の移設作業等の作業性を向上させることができる。
【００１３】
また、ジャーナルデータ作成手段が作成するジャーナルデータに含まれる各項目のコードについて、ジャーナルデータにおける位置を定めた位置データを記憶する位置データ記憶手段を備えれば、本体の設置環境や、運用形態に応じて作成するジャーナルデータの形式を定めることができる。この場合には、この位置データを更新する位置データ更新手段を設けるのが好ましい。
【００１４】
さらに、ジャーナルデータ送信手段を、ジャーナルデータ記憶手段が記憶しているジャーナルデータと、位置データ記憶手段が記憶している位置データとを管理サーバに送信する構成とすることによって、管理サーバ側が収集したジャーナルデータの検索にかかる時間も抑えられる。
【００１５】
また、ジャーナルデータ作成手段が作成するジャーナルデータに含まれる項目毎に、その項目の内容に対して優先順位を定めた優先順位データを記憶する優先順位データ記憶手段を備えてもよい。さらには、この優先順位データを更新する手段や、この優先順位データもジャーナルデータとともに管理サーバに送信する構成としてもよい。
【００１６】
さらに、登録されている外字にかかる外字データについても、ジャーナルデータとともに管理サーバに送信する構成としてもよい。
【発明の効果】
【００１７】
この発明によれば、本体の移設作業等の作業性を向上させ、当該作業にかかる人手や時間が抑えられる。
【図面の簡単な説明】
【００１８】
【図１】取引管理システムの構成を示す概略図である。
【図２】ＡＴＭの主要部の構成を示すブロック図である。
【図３】位置データ、および優先順位データを示す図である。
【図４】外字データを示す図である。
【図５】管理サーバの主要部の構成を示すブロック図である。
【図６】ＡＴＭの動作を示すフローチャートである。
【図７】管理サーバの動作を示すフローチャートである。
【図８】検索処理を示すフローチャートである。
【図９】検索端末の画面表示例を示す図である。
【図１０】検索端末の画面表示例を示す図である。
【発明を実施するための形態】
【００１９】
以下、この発明の実施形態について説明する。
【００２０】
図１は、この発明の実施形態である現金自動預け払い機を適用した取引管理システムの構成を示す概略図である。この取引管理システムは、金融機関の店舗や、コンビニエンスストア等に設置された現金自動預け払い機１（以下、ＡＴＭ１と言う。）と、金融機関のセンタに設置された管理サーバ２と、はネットワーク５を介して接続している。また、センタには、管理サーバ２が収集したジャーナルデータの検索に用いる検索端末３が設置されている。
【００２１】
ＡＴＭ１は、金融機関に開設されている口座に対する入金取引、出金取引、振込取引等の各種取引を、利用者が入力した取引情報に応じて処理する。また、ＡＴＭ１は、処理した取引毎に、その取引の内容を示すジャーナルデータを作成し、これを記憶する。管理サーバ２は、ネットワーク５を介して接続されているＡＴＭ１毎に、そのＡＴＭ１が記憶しているジャーナルデータを収集する。管理サーバ２は、各ＡＴＭ１から収集したジャーナルデータを一括管理する。検索端末３は、所謂パーソナルコンピュータであり、管理サーバ２が収集し、管理しているジャーナルデータの検索に用いる。
【００２２】
なお、管理サーバ２は、収集し、管理しているジャーナルデータを検索する機能を有していてもよい。
【００２３】
図２は、ＡＴＭの主要部の構成を示すブロック図である。ＡＴＭ１は、主制御部１１と、表示・操作部１２と、紙幣処理部１３と、硬貨処理部１４と、カード・明細書処理部１５と、通帳処理部１６と、音声案内部１７と、記憶部１８と、通信部１９と、を備えている。主制御部１１は、ＡＴＭ１本体各部の動作を制御する。
【００２４】
表示・操作部１２は、本体正面に設けた表示器、およびこの表示器の画面上に貼付したタッチパネルを有している。表示・操作部１２は、利用者に対する操作案内画面を表示器に表示する。表示・操作部１２は、タッチパネルの押下位置を検知することにより、暗証番号や取引内容（取引種別、入出金金額等）にかかる利用者の入力操作を受け付ける。また、表示・操作部１２は、障害発生時等に係員が操作する係員用操作部も有している。この係員用操作部は、通常本体内部に収納されており、背面パネル等を開けて取り出し、操作する操作部である。
【００２５】
紙幣処理部１３は、本体正面に設けた紙幣入出金口と、本体内部に収納されている紙幣カートリッジと、の間に形成した紙幣搬送路に沿って紙幣を搬送する。また、紙幣処理部１３は、紙幣搬送路に沿って搬送している紙幣毎に、金種、および真偽を識別する紙幣識別部を有している。紙幣識別部は、紙幣から読み取った磁気パターンや、透過光パターン等に基づいて真偽および金種を識別する。硬貨処理部１４は、本体正面に設けた硬貨入出金口と、本体内部に収納されている硬貨カートリッジと、の間に形成された硬貨搬送路に沿って硬貨を搬送する。また、硬貨処理部１４は、硬貨搬送路に沿って搬送している硬貨毎に、金種、および真偽を識別する硬貨識別部を有している。
【００２６】
カード・明細書処理部１５は、本体正面に設けたカード挿入口に挿入されたキャッシュカード（以下、単にカードと言う。）を取り込み、このカードの磁気ストライプに記録されているカード情報（金融機関番号、店舗番号、口座番号等）の読み取りや、カード情報の書き換え等を行う。また、挿入されたカードがＩＣカードである場合には、必要に応じて、そのカードのＩＣチップに記録されているデータの読み取りや、書き換えも行う。ＩＣチップには、このカードの所有者である利用者の生体情報（登録情報）等が記録されている。さらに、カード・明細書処理部１５は、取引内容を明細書に印字する印字部（不図示）を有する。カード・明細書処理部１５は、取引内容を印字した明細書を本体正面に設けた明細書放出口に放出する。
【００２７】
なお、指静脈パターン等の生体情報で利用者を認証する場合には、認証に用いる生体情報を読み取る生体情報読取センサが設けられる。そして、この生体情報読取センサで読み取った利用者の生体情報（読取情報）と、カードのＩＣチップに記録されている生体情報（登録情報）と、を照合し、その類似度から利用者とカードの所有者とが同一人物であるかどうかを認証する。
【００２８】
通帳処理部１６は、本体正面に設けた通帳挿入口に挿入された通帳を取り込み、この通帳に対して取引履歴を印字する印字部（不図示）を有している。また、通帳処理部１６は、取り込んだ通帳のページを捲るページ捲り機構や、通帳に印刷されているページ番号を示すバーコードを読み取るバーコードリーダ、通帳に貼付されている磁気ストライプに記録されている通帳情報（金融機関番号、店舗番号、口座番号等）を読み取る磁気ヘッド等も有している。
【００２９】
音声案内部１７は、利用者に対して音声によるガイダンスを行う。記憶部１８は、ジャーナルデータ、位置データ、優先順位データ、外字データ等を記憶する。ＡＴＭ１は、取引を処理する毎に、操作区分、障害情報有無、取引通番、操作種別、取引金額、金融機関番号、支店番号、口座番号等の項目の内容を示すジャーナルデータを作成し、これを記憶部１８に記憶する。操作区分は、処理した取引の区分を示す情報であり、カード取引、通帳取引、現金取引等を示す情報である。障害情報有無は、取引時に障害が発生したかどうかを示す情報である。取引通番は、処理した取引に付与した通し番号である。操作種別は、処理した取引の種別、すなわち、入金取引、出金取引、振込取引等を示す情報である。取引金額は、処理した取引における入金金額、出金金額、振込金額等である。金融機関番号は、取引対象の口座が開設されている金融機関を示す番号であり、支店番号は、その口座が開設されている店舗を示す番号であり、口座番号は取引対象の口座を示す番号である。
【００３０】
位置データは、図３（Ａ）に示すように、ジャーナルデータに含まれる項目毎に、その内容を示すコードが記録されている先頭からの位置（バイト数）、および大きさ（バイトサイズ）を対応付けたテーブルである。例えば、図３では、操作区分は、ジャーナルデータの先頭から２バイト目の位置を先頭に、２バイトの大きさで記録されていることを示している。また、取引通番は、ジャーナルデータの先頭から１０バイト目の位置を先頭に、１０バイトの大きさで記録されていることを示している。ＡＴＭ１は、この位置データに基づいて、ジャーナルデータを作成する。言い換えれば、ＡＴＭ１は、位置データによって定められている形式でジャーナルデータを作成する。したがって、ＡＴＭ１が作成するジャーナルデータの形式は、そのＡＴＭ１の設置環境や、運用形態に応じて、独自に定めることができる。
【００３１】
また、この位置データは、表示・操作部１２における入力操作で更新できる。したがって、移設等により、設置環境や、運用形態に変更が生じたときであっても、迅速且つ適正に対応できる。
【００３２】
また、優先順位データは、ジャーナルデータに含まれている項目毎に、その項目の内容対して優先順位を定めたデータである。図３（Ｂ）は、操作種別にかかる優先順位データを示している。この例では、番号が小さいほど、優先順位が高い。すなわち、操作種別にかかる項目の優先順位は、出金取引が最も高く、入金取引、振込取引の順番である。上述した位置データや、この優先順位データは、検索端末３におけるジャーナルデータの検索処理で使用される。また、外字データは、そのＡＴＭ１に設定されている外字毎に、その外字に割り当てた文字コードと、その外字のドットデータ（外字データ）と、を対応付けたテーブルである（図４参照）。
【００３３】
また、優先順位データや、外字データについても、位置データと同様に、表示・操作部１２における入力操作で更新できる。
【００３４】
通信部１９は、管理サーバ２との通信を制御する。また、ＡＴＭ１は、本体正面を検知エリアとする近接センサ等も有し、この近接センサによって、装置本体正面に位置する利用者の有無を検知する。
【００３５】
図５は、管理サーバの主要部の構成を示すブロック図である。管理サーバ２は、制御部２１と、通信部２２と、記憶部２３と、操作部２４と、表示部２５と、を備えている。制御部２１は、管理サーバ２本体の動作を制御する。通信部２２は、ＡＴＭ１や検索端末３との間における通信を制御する。記憶部２３は、各ＡＴＭ１から収集したジャーナルデータ、位置データ、優先順位データ、外字データ等を記憶する。管理サーバ２は、ＡＴＭ１からジャーナルデータを収集するときに、そのジャーナルデータとともに、位置データ、優先順位データ、外字データを収集し、これらのデータを対応付けて記憶部２３に記憶する。操作部２４は、管理サーバ２に対する入力操作を行う操作キー等を有する。表示部２５は、表示器（不図示）における画面表示を制御する。
【００３６】
次に、この取引管理システムの動作について説明する。
【００３７】
ＡＴＭ１は、金融機関に開設されている口座に対する入金取引、出金取引、振込取引等の各種取引を、利用者が入力した取引情報に応じて処理する。ＡＴＭ１における取引処理については、周知であるので、ここでは詳細な説明を省略する。ＡＴＭ１は、取引を処理する毎に、その取引内容を示すジャーナルデータを作成し、これを記憶部１８に記憶する。このとき、ＡＴＭ１は、記憶部１８に記憶している位置データによって定められている形式で、ジャーナルデータを作成する。具体的には、処理した取引にかかる各項目の内容毎に、そのコードを、位置データによって定められている位置に書き込んだジャーナルデータを作成する。したがって、ＡＴＭ１毎に、作成するジャーナルデータの形式を独自に設定することができる。言い換えれば、各ＡＴＭ１は、作成するジャーナルデータの形式を、設置環境や、運用形態等に応じて定めることができる。
【００３８】
ここで、ＡＴＭ１を移設する場合を例にして、このＡＴＭ１のジャーナルデータを管理サーバ２に収集させる動作について説明する。図６は、ＡＴＭの動作を示すフローチャートであり、図７は管理サーバの動作を示すフローチャートである。
【００３９】
まず、現場作業員が移設するＡＴＭ１が設置されている場所（移設元）に赴く。現場作業員は、移設するＡＴＭ１の表示・操作部１２を操作し、記憶部１８に記憶しているジャーナルデータを管理サーバ２に収集させる操作を行う。ＡＴＭ１は、この操作が行われると（ｓ１）、通信部１９から管理サーバ２に対して、ジャーナルデータの収集要求を送信する（ｓ２）。
【００４０】
管理サーバ２は、ネットワーク５を介して接続されているいずれかのＡＴＭ１から送信されてきた、ジャーナルデータの収集要求を受信すると（ｓ１１）、今回収集要求を送信してきたＡＴＭ１に対して、ジャーナルデータの収集要求に対する応答を返信する（ｓ１２）。ｓ１２にかかる応答は、ジャーナルデータの送信開始を要求するものである。
【００４１】
ＡＴＭ１は、管理サーバ２からジャーナルデータの収集要求に対する応答を受信すると（ｓ３）、記憶部１８に記憶しているジャーナルデータ、位置データ、優先順位データおよび外字データを管理サーバ２に送信する（ｓ４）。
【００４２】
管理サーバ２は、ＡＴＭ１から送信されてきたジャーナルデータ、位置データ、優先順位データおよび外字データを対応付けて、記憶部２３に記憶する（ｓ１３）。管理サーバ２は、ジャーナルデータとともに、位置データを受信しているので、そのジャーナルデータの形式を判断することができる。管理サーバ２は、ＡＴＭ１に対して、収集完了を通知し（ｓ１４）、本処理を終了する。
【００４３】
また、ＡＴＭ１は、管理サーバ２から収集完了にかかる通知を受信すると（ｓ５）、本処理を終了する。
【００４４】
このように、移設するＡＴＭ１側の操作において、記憶しているジャーナルデータを管理サーバ２に収集させることができる。すなわち、管理サーバ２を操作する係員が不要になるので、現場作業員と管理サーバ側の係員との連携も必要なくなる。したがって、本体の移設作業等の作業性を向上させ、当該作業にかかる人手や時間が抑えられる。
【００４５】
次に、管理サーバ２が収集したジャーナルデータの検索について説明する。このジャーナルデータの検索は、検索端末３において行われる。図８は、この検索処理を示すフローチャートである。ジャーナルデータを検索する操作者は、検索端末３において、検索するジャーナルデータについて、その取引を処理したＡＴＭ１にかかる情報（店舗番号、店舗名、号機番号、機種名等）や、検索期間等を第１の検索キーとして入力する（図９参照）。
【００４６】
検索端末３は、第１の検索キーが入力されると（ｓ２１）、管理サーバ２に対して、今回入力された第１の検索キーに該当するジャーナルデータ、位置データ、優先順位データおよび外字データの送信を要求する（ｓ２２）。管理サーバ２は、検索端末３から要求されたジャーナルデータ、位置データ、優先順位データおよび外字データを記憶部２３から読み出し、これを検索端末３に送信する。
【００４７】
検索端末３は、管理サーバ２から送信されてきたジャーナルデータ、位置データ、優先順位データおよび外字データを記憶し（ｓ２３）、操作者による第２の検索キーの入力を受け付ける（ｓ２４）。この第２の検索キーは、検索するジャーナルデータを絞り込むキーであり、ジャーナルデータに含まれる操作種別等の項目の内容を指定するキーである。検索端末３は、図９に示す画面左下側に、項目別に第２の検索キーを入力する入力エリアを表示する。第２の検索キーを入力する項目の中には、プルダウンメニューを表示して、選択させるものもある。検索端末３は、プルダウンメニューを表示するとき、ｓ２３で記憶した優先順位データに基づいて、その内容を表示する。具体的には、優先順位が高い内容から順番に並べた、プルダウンメニューを表示する。したがって、第２の検索キーの入力にかかるユーザの操作性を向上させることができる。
【００４８】
検索端末３は、第２の検索キーが入力されると、ｓ２３で記憶したジャーナルデータの中から、該当するジャーナルデータを検索する（ｓ２５）。ｓ２５では、今回入力された第２の検索キーが全て一致するジャーナルデータを検索する。検索端末３は、ｓ２３で記憶した位置データにより、検索するジャーナルデータのどの位置に、今回入力された第２の検索キーに対応する項目のコードが記録されているか判断できる。言い換えれば、各ジャーナルデータについて、コードを確認する位置が特定できる。したがって、該当するジャーナルデータの検索に要する時間が抑えられる。
【００４９】
検索端末３は、ｓ２５で検索したジャーナルデータを表示する（ｓ２６）。図１０は、検索端末３における、検索結果の表示画面例を示す図である。また、検索端末３は、ｓ２６で検索結果を表示するとき、ｓ２３で記憶した外字データに登録されている文字コードがあれば、その文字コードに対応付けられている外字データを用いて、文字を表示する。したがって、表示したジャーナルデータに文字化けを生じさせることもない。
【００５０】
このように、ＡＴＭ１は、設置環境や、運用形態等に応じて、作成するジャーナルデータの形式を独自に定めることができる。また、ＡＴＭ１間で作成されるジャーナルデータの形式に違いは生じるが、ジャーナルデータの検索においては、検索対象のＡＴＭ１の位置データを用いるので、問題が生じることはない。また、ＡＴＭ１は、外字についても、設置環境や、運用形態等に応じて、独自に定めることができる。
【符号の説明】
【００５１】
１−現金自動預け払い機（ＡＴＭ）
２−管理サーバ
３−検索端末
５−ネットワーク
１１−主制御部
１２−表示・操作部
１８−記憶部
１９−通信部
２１−制御部
２２−通信部
２３−記憶部
【図１】
2010250590.tif 000003
【図２】
2010250590.tif 000004
【図３】
2010250590.tif 000005
【図４】
2010250590.tif 000006
【図５】
2010250590.tif 000007
【図６】
2010250590.tif 000008
【図７】
2010250590.tif 000009
【図８】
2010250590.tif 000010
【図９】
2010250590.tif 000011
【図１０】
2010250590.tif 000012